(57)【要約】【課題】立ち上がり部を簡単に構築できる柱構造およびその構築方法を提供することである。【解決手段】柱構造１は、鉄骨構造物におけるバルコニー２の先端側に立設された鉄骨柱３を囲むようにして外壁ＰＣ板４、６が取り付けられ、該外壁ＰＣ板４、６と床２３との間に空隙部２４が形成され、該空隙部２４には床２３からの起立板１２がはめ込まれた構成であり、この柱構造１の構築方法は、適宜間隔ごとに立設された鉄骨柱３に鉄骨梁５が架設されて構築された鉄骨躯体において、該鉄骨躯体におけるバルコニー２の先端側に立設された鉄骨柱３の外側に前部用外壁ＰＣ板９を設置し、該前部用外壁ＰＣ板９の内側に当接させた起立板１２を、鉄骨梁５に支持させて鉄骨柱３の両側に設置した後、前記鉄骨梁３間にＰＣ床板１６を設置し、該ＰＣ床板１６上にコンクリート１７を打設することである。【選択図】    図１
2004225388.tif 000002
【特許請求の範囲】
【請求項１】
鉄骨構造物におけるバルコニーの先端側に立設された鉄骨柱を囲むようにして外壁ＰＣ板が取り付けられ、該外壁ＰＣ板と床との間には空隙部が形成され、該空隙部に床からの起立板がはめ込まれたことを特徴とする柱構造。
【請求項２】
適宜間隔ごとに立設された鉄骨柱に鉄骨梁が架設されて構築された鉄骨躯体において、該鉄骨躯体におけるバルコニーの先端側に立設された鉄骨柱の外側に前部用外壁ＰＣ板を設置し、該前部用外壁ＰＣ板の内側に当接させた起立板を、鉄骨梁に支持させて鉄骨柱の両側に設置した後、前記鉄骨梁間にＰＣ床板を設置し、該ＰＣ床板上にコンクリートを打設することを特徴とする柱構造の構築方法。
【発明の詳細な説明】
【０００１】
【発明の属する技術分野】
本発明は柱構造およびその構築方法に関するものである。
【０００２】
【従来の技術】
鉄骨構造物を構築するには建物の外周部に外壁ＰＣ板を設置するが、この外壁ＰＣ板の施工方法として、例えば特開平８−６０８５２号公報の発明が知られている。これは外壁ＰＣ板を効率的に設置しようとするものである。このような外壁ＰＣ板は、バルコニーの先端側に立設される外部柱においては、床との間に空隙部を形成して設置されていた。そして、この床との空隙部には、図１０に示すように、型枠２５を形成して現場打ちコンクリート２６で立ち上がり部２７を構築していた。
【０００３】
【特許文献１】
特開平８−６０８５２号公報（図４）
【０００４】
【発明が解決しようとする課題】
しかし、上記の立ち上がり部の構築には下記のような問題があった。
（１）狭い空隙部へのコンクリートの打設がしにくい
（２）立ち上げ部を後打ちすると止水性が低下する
（３）躯体形状が均一化しない
（４）高層部での危険な型枠・鉄筋工事が発生する
（５）コンクリートの打放しの補修手間が発生する
【０００５】
本発明はこれらの問題に鑑みてなされたものであり、その目的は、立ち上がり部を簡単に構築できる柱構造およびその構築方法を提供することである。
【０００６】
【課題を解決するための手段】
以上の課題を解決するための柱構造は、鉄骨構造物におけるバルコニーの先端側に立設された鉄骨柱を囲むようにして外壁ＰＣ板が取り付けられ、該外壁ＰＣ板と床との間には空隙部が形成され、該空隙部に床からの起立板がはめ込まれた構成である。
また柱構造の構築方法は、適宜間隔ごとに立設された鉄骨柱に鉄骨梁が架設されて構築された鉄骨躯体において、該鉄骨躯体におけるバルコニーの先端側に立設された鉄骨柱の外側に前部用外壁ＰＣ板を設置し、該前部用外壁の内側に当接させた起立板を、鉄骨梁に支持させて鉄骨柱の両側に設置した後、前記鉄骨梁間にＰＣ床板を設置し、該ＰＣ床板上にコンクリートを打設することである。
【０００７】
外壁ＰＣ板と床との間の空隙部にはめ込まれた床からの起立板により、高い止水性を確保することができる。形状が複雑な箇所においても高品質で均一な柱構造を確保することができる。起立板により床からの立ち上がり部が簡単に構築できるとともに、工期の短縮も図ることができる。高所における型枠・鉄筋工事がないため、少人数でかつ安全な施工となる。起立板の設置により、立ち上がり部の天端が確認できるため、不具合の発生が抑制できる。
【０００８】
【発明の実施の形態】
以下、本発明の柱構造およびその構築方法の実施の形態を図面に基づいて詳細に説明する。図１〜図６は鉄骨構造物におけるバルコニーの先端側に立設された、いわゆる外部柱と呼ばれる柱構造を示し、図７〜図９はその構築方法を示したものである。また各実施の形態において同じ構成は同じ符号を付して説明し、異なる構成は異なった符号を付して説明する。
【０００９】
柱構造１は、図１に示すように、鉄骨構造物におけるバルコニー２の先端側に立設された外部柱であり、適宜間隔をもって立設された鉄骨柱である鋼管柱３が柱用外壁ＰＣ板４で被覆されるとともに、鋼管柱３間に架設された鉄骨梁５の前面にも梁用外壁ＰＣ板６が設置されて構成されている。この鉄骨梁５はＨ形鋼７の下部がコンクリート体８で被覆され、該コンクリート体８からＨ形鋼７の上部が突出して形成されたものである。
【００１０】
柱用外壁ＰＣ板４は鋼管柱３の前部側を覆う前部用外壁ＰＣ板９と、側部側を覆う側部用外壁ＰＣ板１０があり、これらが連結金具１１により鋼管柱３に取り付けられている。前部用外部ＰＣ板９の上部は鉄骨梁５の上部に位置し、その内面側には起立板１２の先端部がシール材１３を介して当接されている。
【００１１】
起立板１２は鋼管柱３の両側部に接合ボルト１４で溶接され、下部の調整ピン１５で鉄骨梁５の上面に支持されている。また起立板１２はＰＣ床板１６に打設されたコンクリート１７で形成された床２３から突出して立ち上がり部１８を構成し、上側には側部用外壁ＰＣ板１０がシール材１３を介して接合されている。また起立板１２で囲まれた鋼管柱３の周りには現場打ちコンクリート１９が打設されている。
【００１２】
この起立板１２はプレキャストコンクリート製であり、図６に示すように、上面に突起部２０が形成され、下面には床に埋設されるアンカー筋２１が取り付けれている。
【００１３】
また、前部用外壁ＰＣ板９および側部用外壁ＰＣ板１０で囲まれた鋼管柱３の後部側は、閉塞板２２で覆われている（図１の（２）参照）。
【００１４】
次に、上記の柱構造１の構築方法を図７〜図９に基づいて説明する。図７〜図９は下部側が前部用外壁ＰＣ板９および側部用外壁ＰＣ板１０で被覆された鋼管柱３であり、前部用外壁ＰＣ板９の上部が鉄骨梁５の上部に位置している。
【００１５】
この状態で起立板１２を鉄骨柱３の両側に設置し、その先端部を前部用外壁ＰＣ板９の内側にシール材１３を介して当接させ、鋼管柱３との間隔を接合ボルト１４で、レベルを調整ピン１５でそれぞれ調整する。
【００１６】
そして、これらの調整が終了した後に、接合ボルト１４を鋼管柱３に溶接して起立板１２を固定する。このように柱用および梁用外壁ＰＣ板４、６ならびにＰＣ床板１６が設置される前に、起立板１２を設置して立ち上がり部１８を先付け施工する。
【００１７】
次に、前記両側の起立板１２間に堰板（図示せず）を設置し、この起立板１２で囲まれた鋼管柱３の周りに、図３に示すように、現場打ちコンクリート１９を打設する。
【００１８】
次に、図４および図５に示すように、鉄骨梁５間にＰＣ床板１６を設置して下床を形成し、この上にコンクリート１７を打設すると、鉄骨梁５が一体となった床２３が構築され、ここから起立板１２の上部が突出した立ち上がり部１８が形成される。
【００１９】
次に、同図に示すように、前部用外壁ＰＣ板９と側部用外壁ＰＣ板１０とを連結金具１１で鋼管柱３に設置して３面を被覆する。そして、残りの１面、すなわち鋼管柱３の後部側は、側部用外壁ＰＣ板１０間に設けた軽量鉄骨材に閉塞板２２を設置する。
【００２０】
また起立板１２と、柱用および梁用外壁ＰＣ板４、６との間にはシール材１３が充填される。よって外壁ＰＣ板４、６と床２３との間に形成された空隙部２４には起立板１２がはめ込まれた構成になる（図４参照）。
【００２１】
このような方法を鋼管柱３の上部にかけて順次繰り返すことにより、柱用および梁用外壁ＰＣ板４、６で被覆された外部柱が構築される。
【００２２】
【発明の効果】
外壁ＰＣ板と床との間の空隙部にはめ込まれた起立板により、高い止水性を確保することができる。また形状が複雑な箇所においても高品質で均一な柱構造を確保することができる。
【００２３】
起立板により床からの立ち上がり部が簡単に構築できるとともに、工期の短縮も図ることができる。また高所における型枠・鉄筋工事がないため、少人数でかつ安全な施工になる。また起立板の設置により、立ち上がり部の天端が確認できるので不具合の発生が抑制できる。
【図面の簡単な説明】
【図１】（１）は柱構造の正面図、（２）は同水平方向の断面図である。
【図２】柱構造の一部省略斜視図である。
【図３】柱構造の水平方向の断面図である。
【図４】図３のＡ−Ａ線断面図である。
【図５】図３のＢ−Ｂ線断面図である。
【図６】（１）は起立板の斜視図、（２）および（３）は同断面図である。
【図７】起立板を設置した状態の断面図である。
【図８】図７のＣ−Ｃ線断面図である。
【図９】図７のＤ−Ｄ線断面図である。
【図１０】従来の柱構造の断面図である。
【符号の説明】
１  柱構造
２  バルコニー
３  鋼管柱
４  柱用外壁ＰＣ板
５  鉄骨梁
６  梁用外壁ＰＣ板
７  Ｈ形鋼
８  コンクリート体
９  前部用外壁ＰＣ板
１０  側部用外壁ＰＣ板
１１  連結金具
１２  起立板
１３  シール材
１４  接合ボルト
１５  調整ピン
１６  ＰＣ床板
１７  コンクリート
１８、２７  立ち上がり部
１９、２６  現場打ちコンクリート
２０  突起部
２１  アンカー筋
２２  閉塞板
２３  床
２４  空隙部
２５  型枠
【図１】
2004225388.tif 000003
【図２】
2004225388.tif 000004
【図３】
2004225388.tif 000005
【図４】
2004225388.tif 000006
【図５】
2004225388.tif 000007
【図６】
2004225388.tif 000008
【図７】
2004225388.tif 000009
【図８】
2004225388.tif 000010
【図９】
2004225388.tif 000011
【図１０】
2004225388.tif 000012